(57)【要約】      （修正有）【課題】様々な場面でいろいろな使用に対応でき、生体電流の乱れを解消できる健康器具を提供する。【解決手段】コア状健康器具１０はコア外装２０と、コア外装２０の内部に配置される棒状金属体３０とで構成される。コア外装２０の軸方向における両端部と中央部が拡大され、その他が縮径された、軸方向に沿って径が変化する筒状であり、中央部分に平面視方向において反時計回りの螺旋状の装飾が施されている。コア外装２０の内部に収容する棒状金属体３０は、磁石又は磁性体、或いはその両方を組み合わせた金属体であり、所定の径及び長さの棒状に形成されている。【選択図】図１
0003232764.tif 000002
【実用新案登録請求の範囲】
【請求項１】
外装体と、前記外装体の内部に少なくとも一部が配置され、磁石及び磁性体のうち少なくとも一方で構成された金属体とで構成された
健康器具。
【請求項２】
前記金属体が、棒状に形成された
請求項１に記載の健康器具。
【請求項３】
前記外装体が、金属製の筒状体である
請求項１又は請求項２に記載の健康器具。
【請求項４】
前記金属体が板状に形成された
請求項１に記載の健康器具。
【請求項５】
前記外装体が、板状の前記金属体を内部に収容する収容袋である
請求項４に記載の健康器具。
【請求項６】
板状の前記金属体を配置するクッション材が備えられた
請求項４に記載の健康器具。
【請求項７】
前記クッション材の内部に前記金属体が配置された
請求項６に記載の健康器具。
【請求項８】
板状に形成された第１金属部、及び第２金属部が積層され、
前記外装体が、積層された袋であり、
積層された板状で前記金属体を構成した
請求項１に記載の健康器具。
【請求項９】
前記金属体が球状に形成された
請求項１に記載の健康器具。
【請求項１０】
球状に形成された前記金属体が、粒状あるいは粉状の第１鉱石及び第２鉱石とともに、袋状の前記外装体に封入された
請求項９に記載の健康器具。
【請求項１１】
球状に形成された前記金属体を装飾品として利用するための取付部が設けられ、該取付部が前記金属体の一部に外装する外装体を構成した
請求項９に記載の健康器具。
【請求項１２】
略盤状に形成された前記金属体と、
前記金属体を身体に貼り付けるシール部とで構成された
請求項１に記載の健康器具。
【考案の詳細な説明】
【技術分野】
【０００１】
この考案は、例えば、利用者が健康促進のために把持するような健康器具に関する。
【背景技術】
【０００２】
人体には生体電流という微弱な電流によって機能している。この生体電流は、人体の細胞におけるプラスイオンとマイナスイオンのバランスが保たれることで正常に機能している。  
しかしながら、食生活の乱れや運動不足、パソコンやスマートフォンなどの電子機器から発せられる電磁波、加齢、ストレス、さらには疲労・睡眠不足など、現代社会では、生体電流が乱れる要素に囲まれて生活している。
【０００３】
生体電流が乱れると、肩こり、腰痛、頭痛、めまい、耳鳴り、下痢、便秘、目の痛みなどいろいろな傷害や病気が発症し、さらには、ホルモンバランスが乱れ、その結果、生理不順、痩せない、むくむ、肌荒れ、様々な体の不調が生じると言われている。  
このような生体電流の乱れに対し、例えば、特許文献１には、磁気治療器具について提案されている。
【０００４】
特許文献１の磁気治療器具を下着の裏面ポケットに挿入して使用することで、磁力振動により血管内のヘモグロビンの鉄分を刺激伝導し、血の巡りを良くする故に心身リラックス効果が生まれるとされている。
【０００５】
しかしながら、特許文献１の磁気治療器具は、下着の裏面ポケットに挿入して使用するため、使用方法が限定され、様々な場面でいろいろな使用に対応できず、利用性のさらなる向上は図れなかった。
【先行技術文献】
【特許文献】
【０００６】
【特許文献１】特開２０１７―２１３３２５号公報
【考案の概要】
【考案が解決しようとする課題】
【０００７】
そこで本考案は、様々な場面でいろいろな使用に対応でき、生体電流の乱れを解消できる健康器具を提供することを主な目的とする。
【課題を解決するための手段】
【０００８】
この考案は、外装体と、前記外装体の内部に少なくとも一部が配置され、磁石及び磁性体のうち少なくとも一方で構成された金属体とで構成された健康器具であることを特徴する。  
この発明により、様々な場面でいろいろな使用に対応でき、生体電流の乱れを解消することができる。
【０００９】
詳述すると、外装体と、前記外装体の内部に少なくとも一部が配置される金属体とで構成されているため、様々な場面でいろいろな使用に対応することができる。また、健康器具を把持したり、身辺に配置することで、乱れた生体電流をすみやかに整えることができる。
【００１０】
また、乱れた生体電流をすみやかに整えることができる。これにより、心身ともにリラックスすることができるとともに、身体全体が持つ自然治癒力を強化し、新陳代謝を促進することができる。  
なお、外装体に棒状の金属体を収容した健康器具は、把持しやすく、取り扱い性が高く、様々な場面で健康器具を使用することができ、利用性をさらに向上することができる。
【００１１】
またこの考案の態様として、前記外装体が、金属製の筒状体であってもよい。  
この考案により、金属製の筒状体で金属体を囲繞するため、さらに効果的に電流が発生し、乱れた生体電流をすみやかに調整することができる。
【００１２】
またこの考案の態様として、前記金属体が板状に形成されてもよい。  
この考案により、乱れた生体電流をすみやかに整えることができる。  
なお、外装体に板状の金属体を収容した健康器具は、他の部材に組み付けやすいため、様々な態様の健康器具を構成でき、利用性をさらに向上することができる。
【００１３】
またこの考案の態様として、前記外装体が、板状の前記金属体を内部に収容する収容袋であってもよい。  
この考案により、板状の金属体を収容袋に収容するため、金属体を露出させることなく、金属体に錆が発生することを防止できる。
【００１４】
またこの考案の態様として、板状の前記金属体を配置するクッション材が備えられてもよい。  
前記クッション材は、スポンジ、マイクロビーズ収容体、発泡ポリエチレンシート、低反発ウレタンフォームなどであってもよい。
【００１５】
この考案により、身近に使用する様々な態様のクッションやマットレスなどに健康器具を配置でき、様々な場面で乱れた生体電流をすみやかに調整することができる。
【００１６】
またこの考案の態様として、前記クッション材の内部に前記金属体が配置されてもよい。  
この考案により、クッション材の表面に金属体が配置される場合に比べ、不用意に金属体がクッション材から脱落することを防止できる。
【００１７】
この考案により、球状の金属体を用いて乱れた生体電流をすみやかに調整することができる。
【００１８】
またこの考案の態様として、球状に形成された前記金属体が、粒状あるいは粉状の第１鉱石及び第２鉱石とともに、袋状の前記外装体に封入されてもよい。  
この考案により、球状の金属体を複数袋状の外装体に収容して、乱れた生体電流をすみやかに調整することができる。また、袋状の外装体に、球状の金属体とともに、粒状あるいは粉状の第１鉱石及び第２鉱石を封入できる。第１鉱石を第２鉱石と組み合わせることで、第１鉱石の電流発生効果を増大させ、球状の金属体と伴って乱れた生体電流をすみやかに調整することができる。
【００１９】
またこの考案の態様として、球状に形成された前記金属体を装飾品として利用するための取付部が設けられ、該取付部が前記金属体の一部に外装する外装体を構成してもよい。  
この考案により、日常的に身に付ける装飾品を構成できるため、日常的に、乱れた生体電流をすみやかに調整することができる。
【００２０】
前記装飾品は、ネックレス、指輪、イヤリング、ピアス、ブレスレット、アンクレット、髪留めなどで様々な態様で構成でき、取付部自体が装飾品を構成してもよいし、取付台座のように装飾品に取付けるための部品であってもよい。
【００２１】
またこの考案の態様として、略盤状に形成された前記金属体と、前記金属体を身体に貼り付けるシール部とで構成されてもよい。  
この発明により、身体に直接作用して、生体電流の乱れを解消することができる。  
詳述すると、シール部により、略盤状に形成された前記金属体を身体におけるいずれかの箇所に貼り付けることで、乱れた生体電流を効率よく整えることができる。
【考案の効果】
【００２２】
この考案によれば、様々な場面でいろいろな使用に対応でき、生体電流の乱れを解消できる健康器具を提供することができる。
【図面の簡単な説明】
【００２３】
【図１】第１実施形態におけるコア状健康器具の説明図。
【図２】第２実施形態におけるスティック状健康器具の説明図。
【図３】第３実施形態におけるスティック状健康器具の説明図。
【図４】第４実施形態におけるペン型健康器具の説明図。
【図５】第５実施形態における板状健康器具の一部断面斜視図。
【図６】第６実施形態における板状健康器具の一部断面斜視図。
【図７】第７実施形態におけるブラシ型健康器具の一部断面斜視図。
【図８】第８実施形態におけるインソール型健康器具の分解斜視図。
【図９】第９実施形態におけるクッション型健康器具の一部分解斜視図。
【図１０】第１０実施形態におけるマットレス型健康器具の一部分解斜視図。
【図１１】第１１実施形態における球状金属体の一部断面斜視図。
【図１２】第１１実施形態における球状金属体を用いた粉状型健康器具の概略図。
【図１３】第１２実施形態におけるネックレス型健康器具の一部正面図。
【図１４】第１３実施形態におけるシール型健康器具の説明図。
【考案を実施するための形態】
【００２４】
この考案の一実施形態を、以下図面を用いて説明する。  
（第１実施形態）  
図１は第１実施形態におけるコア状健康器具１０の説明図を示している。詳しくは、図１（ａ）はコア状健康器具１０の正面図を示し、図１（ｂ）はコア状健康器具１０の断面図を示している。さらに詳細には、図１（ｂ）における左半分はコア外装２０について断面図で図示し、右半分は、コア外装２０に加え棒状金属体３０も断面図で図示している。
【００２５】
コア状健康器具１０は、有底略筒状のコア外装２０と、コア外装２０の内部に収容された棒状金属体３０とで構成している。  
コア外装２０は、金属製の鋳物であり、内部に棒状金属体３０を収容する収容空間を有する有底略筒状に形成されている。
【００２６】
コア外装２０の軸方向における両端部と中央部が拡大され、その他が縮径された、軸方向に沿って径が変化する筒状であり、中央部分に平面視方向において反時計回りの螺旋状の装飾が施されている。
【００２７】
コア外装２０の内部に収容する棒状金属体３０は、磁石又は磁性体、或いはその両方を組み合わせた金属体であり、所定の径及び長さの棒状に形成されている。  
このように構成したコア外装２０の内部の収容空間に上述の棒状金属体３０を収容してコア状健康器具１０を構成している。このように構成したコア状健康器具１０を利用者は、手で把持したり、持って運動をしたり、ポケットに収納して行動したりして利用する。
【００２８】
上述のようにコア状健康器具１０は、コア外装２０と、コア外装２０の内部に配置される棒状金属体３０とで構成されているため、様々な場面でいろいろな使用に対応でき、生体電流の乱れを解消することができる。
【００２９】
詳述すると、コア外装２０と、コア外装２０の内部に配置される棒状金属体３０とで構成されているため、様々な場面でいろいろな使用に対応することができ、コア状健康器具１０を把持したり、身辺に配置することで、棒状金属体３０より電流が効果的に発生し、乱れた生体電流をすみやかに整えることができる。
【００３０】
したがって、乱れた生体電流をすみやかに整えることができる。これにより、心身ともにリラックスすることができるとともに、身体全体が持つ自然治癒力を強化し、新陳代謝を促進することができる。
【００３１】
また、電流をさらに効果的に発生させ、乱れた生体電流をより調整することができ、磁力振動により血流を改善し、リラックス効果が生じるとともに、乱れた生体電流をすみやかに整えることができる。
【００３２】
なお、磁石又は磁性体、或いはその両方を組み合わせて用いて身体の生体電流を整える効果を期待するとともに、血液や体液を含めた、体内のあらゆる水分を活性化することを通して、身体全体のバランスを総合的に調整することができる。また、磁石や磁性体に、金属や鉱石等を更に組み合わせて用いることで効果を高めることもできる。
【００３３】
上述のように、コア外装２０に棒状の棒状金属体３０を収容したコア状健康器具１０は、把持しやすく、取り扱い性が高く、様々な場面でコア状健康器具１０を使用することができ、利用性をさらに向上することができる。
【００３４】
（第２実施形態）  
図２は第２実施形態におけるスティック状健康器具１０ａの説明図を示している。詳しくは、図２（ａ）はスティック状健康器具１０ａの正面図を示し、図２（ｂ）はスティック状健康器具１０ａの断面図を示している。  
なお、以下におけるスティック状健康器具１０ａの説明において、第１実施形態のコア状健康器具１０と同じ構成については同じ符号を付して、その説明を省略する。
【００３５】
スティック状健康器具１０ａは、棒状の棒状金属体３０ａを内在する円筒状の筒状体２０ａと、筒状体２０ａで被覆された棒状金属体３０ａの軸方向両端に備えた球状凸部２１ａと、筒状体２０ａと球状凸部２１ａとを固定する固定テープ２２ａとで構成している。  
このように円柱状に形成された棒状金属体３０ａを内在する筒状体２０ａは、内部に棒状金属体３０ａを収容可能な樹脂製の円筒状に形成している。
【００３６】
球状凸部２１ａは、筒状体２０ａと同径の釣鐘状であり、軸方向外側に球状部が配置されるように構成している。なお、球状凸部２１ａは樹脂製であり、表面が滑らかに形成されている。また、球状凸部２１ａは、本実施形態では透明な樹脂で形成しているが、透明でなくてもよい。
【００３７】
このように構成した球状凸部２１ａは、筒状体２０ａ及び筒状体２０ａに収容された棒状金属体３０ａの端部に配置され、その境界を跨いで固定テープ２２ａを巻き付けて固定している。  
このように構成したスティック状健康器具１０ａを利用者は手に取って、固定テープ２２ａの先端の球状部で、顔をなぞったり、肩こりなど不調な箇所をこすって利用する。
【００３８】
上述のようにスティック状健康器具１０ａは、筒状体２０ａと、筒状体２０ａの内部に配置される棒状金属体３０ａとで構成され、棒状金属体３０ａは、様々な場面でいろいろな使用に対応でき、生体電流の乱れを解消することができる。
【００３９】
詳述すると、筒状体２０ａと、筒状体２０ａの内部に配置される棒状金属体３０ａとで構成されているため、様々な場面でいろいろな使用に対応することができる。
【００４０】
また、棒状金属体３０ａは、乱れた生体電流をすみやかに整えることができる。これにより、心身ともにリラックスすることができるとともに、身体全体が持つ自然治癒力を強化し、新陳代謝を促進することができる。
【００４１】
なお、筒状体２０ａに棒状の棒状金属体３０ａを収容したスティック状健康器具１０ａは、把持しやすく、取り扱い性が高く、様々な場面でスティック状健康器具１０ａを使用することができ、利用性をさらに向上することができる。
【００４２】
（第３実施形態）  
図３は第３実施形態におけるスティック状健康器具１０ｂの説明図を示している。詳しくは、図３（ａ）はスティック状健康器具１０ｂの正面図を示し、図３（ｂ）はスティック状健康器具１０ｂの断面図を示している。  
なお、以下におけるスティック状健康器具１０ｂの説明において、第２実施形態のスティック状健康器具１０ａと同じ構成については同じ符号を付して、その説明を省略する。
【００４３】
スティック状健康器具１０ｂは、棒状の棒状金属体３０ｂを内在する円筒状の筒状体２０ｂと、筒状体２０ｂで被覆された棒状金属体３０ｂの軸方向の上端に備えた曲面状凸部２１ｂと、棒状金属体３０ｂの軸方向の下端に備えた底部２２ｂとで構成している。
【００４４】
筒状体２０ｂは、内部に棒状金属体３０ｂを収容可能な樹脂製の円筒状に形成している。  
曲面状凸部２１ｂと底部２２ｂとは透明な樹脂で構成し、曲面状凸部２１ｂは表面が滑らかに形成されている。なお、曲面状凸部２１ｂ及び底部２２ｂは、透明でなくてもよい。
【００４５】
このように構成した曲面状凸部２１ｂ及び底部２２ｂは、棒状金属体３０ｂを収容する筒状体２０ｂの上端及び下端に所定長さ挿入されて、接着固定されている。そのため、棒状金属体３０ｂは、筒状体２０ｂの内部において、曲面状凸部２１ｂ及び底部２２ｂによって、軸方向の位置が規制されている。  
このように構成したスティック状健康器具１０ｂを利用者は手に取って、曲面状凸部２１ｂの先端の球状部で、顔をなぞったり、肩こりなど不調な箇所をこすって利用する。
【００４６】
上述のようにスティック状健康器具１０ｂは、筒状体２０ｂと、筒状体２０ｂの内部に配置される棒状金属体３０ｂとで構成され、棒状金属体３０ｂは、様々な場面でいろいろな使用に対応でき、生体電流の乱れを解消することができる。
【００４７】
詳述すると、筒状体２０ｂと、筒状体２０ｂの内部に配置される棒状金属体３０ｂとで構成されているため、様々な場面でいろいろな使用に対応することができる。  
また、棒状金属体３０ｂは、乱れた生体電流をすみやかに整えることができる。これにより、心身ともにリラックスすることができるとともに、身体全体が持つ自然治癒力を強化し、新陳代謝を促進することができる。
【００４８】
なお、筒状体２０ｂに棒状の棒状金属体３０ｂを収容したスティック状健康器具１０ｂは、把持しやすく、取り扱い性が高く、様々な場面でスティック状健康器具１０ｂを使用することができ、利用性をさらに向上することができる。
【００４９】
（第４実施形態）  
図４は第４実施形態におけるペン型健康器具１０ｃの説明図を示している。詳しくは、図４における左半分はペン型健康器具１０ｃの正面図を図示し、右半分は、ペン外装２０ｃ及び棒状金属体３０について断面図で図示している。図４における左半分には内部に収容する棒状金属体３０を破線で図示している。  
なお、以下におけるペン型健康器具１０ｃの説明において、第１実施形態のコア状健康器具１０と同じ構成については同じ符号を付して、その説明を省略する。
【００５０】
ペン型健康器具１０ｃは、ペン型のペン外装２０ｃの内部に棒状金属体３０を収容し、ペン外装２０ｃの先端に配置したボール２２ｃを回転自在に支持する支持キャップ２１ｃを備えている。  
ペン外装２０ｃは、利用者が把持しやすい途中部分にくびれを有する有底略円筒状であり、樹脂製である。
【００５１】
ボール２２ｃは、ペン外装２０ｃよりわずかに小径な金属製の球体で構成している。  
支持キャップ２１ｃは、ペン外装２０ｃにおける開放された上端部に、ボール２２ｃを回転自在に支持するキャップであり、ボール２２ｃを回転自在に支持する支持部と、ペン外装２０ｃの先端に挿入する挿入部とで構成している。
【００５２】
このように構成した支持キャップ２１ｃにおける支持部にボール２２ｃを装着し、支持キャップ２１ｃの挿入部を、内部に棒状金属体３０を収容したペン外装２０ｃの先端に挿入することでペン型健康器具１０ｃを構成することができる。  
このように構成したペン型健康器具１０ｃを利用者は手に取って、ボール２２ｃを転がすように顔をなぞったり、肩こりなど不調な箇所をこすって利用する。
【００５３】
上述のようにペン型健康器具１０ｃは、ペン外装２０ｃと、ペン外装２０ｃの内部に配置される棒状金属体３０とで構成され、第１実施形態のコア状健康器具１０における棒状金属体３０によって奏する効果に加え、ペン外装２０ｃに収容した棒状の棒状金属体３０によって電流が効果的に発生し、乱れた生体電流をすみやかに整えることができる。
【００５４】
なお、ペン外装２０ｃに棒状の棒状金属体３０を収容したペン型健康器具１０ｃは、把持しやすく、取り扱い性が高く、様々な場面でペン型健康器具１０ｃを使用することができ、利用性をさらに向上することができる。  
したがって、ペン型健康器具１０ｃは、心身ともにリラックスすることができるとともに、身体全体が持つ自然治癒力を強化し、新陳代謝を促進することができる。
【００５５】
（第５実施形態）  
図５は第５実施形態における板状健康器具１０ｄの一部断面斜視図を示している。  
積層板材３４ｄは、第１板状金属材３１ｄと第２板状金属材３２ｄとを積層して構成しているが、第１板状金属材３１ｄと第２板状金属材３２ｄとの一体化の方法については問わず、適宜の方法で一体化すればよい。
【００５６】
このように構成した積層板材３４ｄを収容する金属製収容袋２０ｄは、金属製であり、内部に積層板材３４ｄを収容可能な袋状を構成している。金属製収容袋２０ｄが可撓性及び封入性を有する適宜の厚みで構成している。
【００５７】
このように、第１板状金属材３１ｄと第２板状金属材３２ｄとを積層して構成した積層板材３４ｄを金属製収容袋２０ｄに収容して構成した板状健康器具１０ｄでは、積層板材３４ｄを構成する第１板状金属材３１ｄ及び第２板状金属材３２ｄと金属製収容袋２０ｄとで板状金属体３０ｄを構成することができる
【００５８】
このように構成した板状健康器具１０ｄを利用者はポケットに入れたりして身につけて利用することができる。なお、板状健康器具１０ｄは板状であるため、かさばらず利用性が高い。
【００５９】
詳述すると、板状健康器具１０ｄを把持したり、身辺に配置することで、乱れた生体電流をすみやかに整えることができる。  
また、心身ともにリラックスすることができるとともに、身体全体が持つ自然治癒力を強化し、新陳代謝を促進することができる。
【００６０】
また、積層板材３４ｄが板状に形成され、板状に形成された第１板状金属材３１ｄ、第２板状金属材３２ｄがこの順で積層されるとともに、乱れた生体電流をすみやかに整えることができる。  
また、金属製収容袋２０ｄが、板状の積層板材３４ｄを内部に収容する収容袋であるため、板状の積層板材３４ｄを収容袋に収容することで、積層板材３４ｄを露出させることなく、積層板材３４ｄに錆が発生することを防止できる。
【００６１】
（第６実施形態）  
図６は第６実施形態における板状健康器具１０ｅの一部断面斜視図を示している。なお、図６において網状収容袋２０ｅの手前側を透過状態で図示している。また、以下における板状健康器具１０ｅの説明において、第５実施形態の板状健康器具１０ｄと同じ構成については同じ符号を付して、その説明を省略する。
【００６２】
板状金属体３０ｅを収容する網状収容袋２０ｅは、金属製でない、例えば不織布などで構成する網状であり、内部に板状金属体３０ｅを収容可能な袋状を構成している。  
このように構成した板状健康器具１０ｅを利用者はポケットに入れたりして身につけて利用することができる。なお、板状健康器具１０ｅは、板状健康器具１０ｄと同様に板状であるため、かさばらず利用性が高い。
【００６３】
上述のように板状健康器具１０ｅは、網状収容袋２０ｅと、網状収容袋２０ｅの内部に配置される板状金属体３０ｅとで構成され、板状金属体３０ｅは、様々な場面でいろいろな使用に対応でき、生体電流の乱れを解消することができる。
【００６４】
詳述すると、網状収容袋２０ｅと、網状収容袋２０ｅの内部に配置される板状金属体３０ｅとで構成されているため、様々な場面でいろいろな使用に対応することができる。また、板状金属体３０ｅは、板状健康器具１０ｅを把持したり、身辺に配置することで、板状金属体３０ｅより電流が効果的に発生し、乱れた生体電流をすみやかに整えることができる。
【００６５】
また、心身ともにリラックスすることができるとともに、身体全体が持つ自然治癒力を強化し、新陳代謝を促進することができる。  
また、板状金属体３０ｅが板状に形成されることができる。  
なお、収容袋としては網状に限定されず、単に布帛で構成してもよい。
【００６６】
（第７実施形態）  
図７は第７実施形態におけるブラシ型健康器具１０ｆの一部断面斜視図を示している。なお、図７においてブラシ型健康器具１０ｆの手前側を透過状態で図示している。  
ブラシ型健康器具１０ｆは、利用者が把持する把持部分１００ｆと、ブラシ４０ｆが複数植設されたブラシ部１０１ｆとで構成している。
【００６７】
把持部分１００ｆとブラシ部１０１ｆは一体構成され、内部に備えたコア状金属体３０ｆの外皮２０ｆで覆って構成している。  
コア状金属体３０ｆは、把持部分１００ｆ及びブラシ部１０１ｆの形状に対応する形状で形成している。このように構成したコア状金属体３０ｆを樹脂製の外皮２０ｆで被覆している。
【００６８】
このように外皮２０ｆで被覆されたブラシ部１０１ｆに植設するブラシ４０ｆは、樹脂製の軸部４１ｆと、軸部４１ｆの先端に設けた樹脂製の玉部４２ｆとで構成している。  
上述のように、構成したブラシ４０ｆをブラシ部１０１ｆに植設してブラシ型健康器具１０ｆを構成している。
【００６９】
このように構成したブラシ型健康器具１０ｆの把持部分１００ｆを利用者は把持し、ブラシ部１０１ｆに植設したブラシ４０ｆで髪をとかしたり、頭皮を刺激したりすることに利用できる。  
上述のようにブラシ型健康器具１０ｆは、外皮２０ｆと、外皮２０ｆの内部に配置されるコア状金属体３０ｆとで構成されているため、様々な場面でいろいろな使用に対応でき、生体電流の乱れを解消することができる。
【００７０】
詳述すると、外皮２０ｆと、外皮２０ｆの内部に配置されるコア状金属体３０ｆとで構成されているため、様々な場面でいろいろな使用に対応することができる。また、ブラシ型健康器具１０ｆを把持したり、髪をとかしたり、頭皮を刺激したりすることで、コア状金属体３０ｆより電流が効果的に発生し、乱れた生体電流をすみやかに整えることができる。  
また、心身ともにリラックスすることができるとともに、身体全体が持つ自然治癒力を強化し、新陳代謝を促進することができる。
【００７１】
（第８実施形態）  
図８は第８実施形態におけるインソール型健康器具１０ｇの分解斜視図を示している。  
インソール型健康器具１０ｇは、板状の中敷状第１金属部３１ｇ、中敷状第２金属部３２ｇ及び中敷状第３金属部３３ｇとを積層して中敷状金属体３０ｇを構成し、中敷状金属体３０ｇの両面を表皮２０ｇで被覆して構成している。
【００７２】
中敷状第１金属部３１ｇは適宜の厚みで形成している。  
中敷状金属体３０ｇの両面を被覆する表皮２０ｇは、金属製でない、例えば不織布などで構成する布状であり、中敷状金属体３０ｇよりひと回り大きな相似形で形成し、中敷状金属体３０ｇの両側に配置した表皮２０ｇの周縁部を縫着して一体化し、インソール型健康器具１０ｇを構成している。
【００７３】
このように構成したインソール型健康器具１０ｇを利用者は靴やサンダルのインソールとして利用することができる。  
上述のようにインソール型健康器具１０ｇは、表皮２０ｇと、表皮２０ｇの内部に配置される中敷状金属体３０ｇとで構成されているため、靴やサンダルを履くことで、生体電流の乱れを解消することができる。
【００７４】
詳述すると、表皮２０ｇと、表皮２０ｇの内部に配置される中敷状金属体３０ｇとで構成され、インソール型健康器具１０ｇを装着した靴やサンダルを履くことで、中敷状金属体３０ｇより電流が効果的に発生し、乱れた生体電流をすみやかに整えることができる。  
また、中敷状金属体３０ｇは、心身ともにリラックスすることができるとともに、身体全体が持つ自然治癒力を強化し、新陳代謝を促進することができる。
【００７５】
（第９実施形態）  
図９は第９実施形態におけるクッション型健康器具１０ｈの一部分解斜視図を示している。図９は多層構造で構成されたクッション２０ｈの表面側のウレタン層２１ｈをめくった状態の斜視図を図示し、クッション２０ｈ内部に配置した板状金属体３０ｅを破線で図示している。  
なお、以下におけるクッション型健康器具１０ｈの説明において、第６実施形態の板状金属体３０ｅと同じ構成については同じ符号を付して、その説明を省略する。
【００７６】
クッション型健康器具１０ｈは、低反発発泡ウレタン製のクッション２０ｈの内部に板状金属体３０ｅを配置し構成している。  
詳しくは、クッション２０ｈは平面視正方形状で所定の厚みのウレタン層２１ｈを２枚積層して構成している。
【００７７】
このように、２枚のウレタン層２１ｈを積層して構成したクッション２０ｈの内部に配置した板状金属体３０ｅは、ウレタン層２１ｈ同士の間に、格子状に配置している。  
なお、ウレタン層２１ｈ同士を一体化する方法は適宜の方法で一体化すればよい。
【００７８】
このように構成したクッション型健康器具１０ｈをクッションカバー等に収容することで、利用者は座布団やクッションとして利用することができる。なお、クッション２０ｈを構成するウレタン層２１ｈは低反発発泡ウレタンに限定されず、スポンジ、マイクロビーズ収容体、発泡ポリエチレンシートなどの適宜のクッション性がある素材で構成してもよい。
【００７９】
上述のようにクッション型健康器具１０ｈは、クッション２０ｈと、クッション２０ｈの内部に配置される板状金属体３０ｅとで構成され、第６実施形態の板状健康器具１０ｅにおける板状金属体３０ｅによって奏する効果に加え、身近に使用する様々な態様のクッションやマットレスなどにクッション型健康器具１０ｈを配置でき、様々な場面で乱れた生体電流をすみやかに調整することができる。したがって、クッション型健康器具１０ｈは、心身ともにリラックスすることができるとともに、身体全体が持つ自然治癒力を強化し、新陳代謝を促進することができる。
【００８０】
また、クッション２０ｈの内部に板状金属体３０ｅが配置されているため、クッション２０ｈの表面に板状金属体３０ｅが配置される場合に比べ、不用意に板状金属体３０ｅがクッション２０ｈから脱落することを防止できる。  
【００８１】
（第１０実施形態）  
図１０は第１０実施形態におけるマットレス型健康器具１０ｉの一部分解斜視図を示している。図９は多層構造で構成されたマットレス２０ｉの表面側のウレタン層２１ｉをめくった状態の斜視図を図示し、マットレス２０ｉの内部に配置した板状金属体３０ｅを破線で図示している。以下におけるマットレス型健康器具１０ｉの説明において、第６実施形態の板状金属体３０ｅと同じ構成については同じ符号を付して、その説明を省略する。
【００８２】
マットレス型健康器具１０ｉは、低反発発泡ウレタン製のマットレス２０ｉの内部に板状金属体３０ｅを配置し構成している。  
マットレス２０ｉは平面視長方形状で所定の厚みのウレタン層２１ｉ，２２ｉを積層して構成している。
【００８３】
詳述すると、マットレス２０ｉは、所定の厚みのウレタン層２２ｉと、ウレタン層２２ｉの両表面に配置したウレタン層２１ｉとを積層して、三層構造を構成している
【００８４】
このように、ウレタン層２１ｉ及びウレタン層２２ｉを積層して構成したマットレス２０ｉの内部に配置した板状金属体３０ｅは、ウレタン層２１ｉとウレタン層２２ｉとの間に、格子状に配置している。  
なお、ウレタン層２１ｉとウレタン層２２ｉとを一体化する方法は適宜の方法で一体化すればよい。
【００８５】
このように構成したマットレス型健康器具１０ｉをシーツカバー等に収容することで、利用者は敷マットレスとして利用することができる。なお、マットレス２０ｉを構成するウレタン層２１ｉは低反発発泡ウレタンに限定されず、スポンジ、マイクロビーズ収容体、発泡ポリエチレンシートなどの適宜のクッション性がある素材で構成してもよい。
【００８６】
上述のようにマットレス型健康器具１０ｉは、マットレス２０ｉと、マットレス２０ｉの内部に配置される板状金属体３０ｅとで構成され、第６実施形態の板状健康器具１０ｅにおける板状金属体３０ｅによって奏する効果に加え、身近に使用する様々な態様のクッションやマットレスなどにマットレス型健康器具１０ｉを配置でき、様々な場面で乱れた生体電流をすみやかに調整することができる。
【００８７】
また、マットレス２０ｉの内部に板状金属体３０ｅが配置されているため、マットレス２０ｉの表面に板状金属体３０ｅが配置される場合に比べ、不用意に板状金属体３０ｅがマットレス２０ｉから脱落することを防止できる。  
【００８８】
（第１１実施形態）  
図１１は第１１実施形態における球状金属体３０ｊの一部断面斜視図を示し、図１２は球状金属体３０ｊを用いた粉状型健康器具１０ｊの概略図を示している。  
球状金属体３０ｊは、様々な大きさで形成することができる。
【００８９】
図１２に示すように、例えば、粉状の第１鉱石５０ｊと第２鉱石６０ｊととともに図示省略する収容袋に収容できる大きさに球状金属体３０ｊを形成し、粉状型健康器具１０ｊを構成してもよい。
【００９０】
上述のように粉状型健康器具１０ｊは、収容袋と、収容袋の内部に配置される球状金属体３０ｊとで構成されている。  
詳述すると、収容袋と、収容袋の内部に配置される球状金属体３０ｊとで構成されているため、様々な場面でいろいろな使用に対応することができる。また、粉状型健康器具１０ｊを把持したり、身辺に配置することで、球状金属体３０ｊより電流が効果的に発生し、乱れた生体電流をすみやかに整えることができる。
【００９１】
また、球状金属体３０ｊは、乱れた生体電流をすみやかに整えることができる。これにより、心身ともにリラックスすることができるとともに、身体全体が持つ自然治癒力を強化し、新陳代謝を促進することができる。
【００９２】
また、球状金属体３０ｊが球状に形成されているため、球状の球状金属体３０ｊを用いて乱れた生体電流をすみやかに調整することができる。  
また、球状に形成された球状金属体３０ｊが、粉状の第１鉱石５０ｊ及び第２鉱石６０ｊとともに、袋状の収容袋に封入されているため、球状の球状金属体３０ｊを複数袋状の収容袋に収容して、乱れた生体電流をすみやかに調整することができる。
【００９３】
（第１２実施形態）  
図１３は第１２実施形態におけるネックレス型健康器具１０ｋの一部正面図を示している。なお、図１３において、球状金属体３０ｊの右半分を断面図で図示している。以下におけるネックレス型健康器具１０ｋの説明において、第１１実施形態の球状金属体３０ｊと同じ構成については同じ符号を付して、その説明を省略する。
【００９４】
上述の粉状型健康器具１０ｊでは、粉状の第１鉱石５０ｊや第２鉱石６０ｊと収容袋に収容できる大きさに球状金属体３０ｊを形成したが、装飾品として利用できる適宜の大きさに球状金属体３０ｊを形成し、ネックレス型健康器具１０ｋを構成してもよい。
【００９５】
ネックレス型健康器具１０ｋは、適宜の大きさに形成した球状金属体３０ｊの一部に取付台座２０ｋを取付け、取付台座２０ｋに丸環７０ｋを介してチェーン７１ｋを取付けて構成している。このように構成したネックレス型健康器具１０ｋを利用者は首にかけて利用することができる。
【００９６】
上述のようにネックレス型健康器具１０ｋは、取付台座２０ｋと、取付台座２０ｋの内部に少なくとも一部が配置される球状金属体３０ｊとで構成され、第１１実施形態の粉状型健康器具１０ｊにおける球状金属体３０ｊによって奏する効果に加え、日常的に身に付ける装飾品を構成できるため、日常的に、乱れた生体電流をすみやかに調整することができる。
【００９７】
また、球状金属体３０ｊは、乱れた生体電流をすみやかに整えることができる。これにより、ネックレス型健康器具１０ｋは心身ともにリラックスすることができるとともに、身体全体が持つ自然治癒力を強化し、新陳代謝を促進することができる。
【００９８】
なお、上述の説明では、取付台座２０ｋを取り付けた球状金属体３０ｊにチェーン７１ｋを取り付けてネックレス型健康器具１０ｋを構成したが、異なる形状の取付台座を取付け、例えば、指輪、イヤリング、ピアス、ブレスレット、アンクレット、髪留めなどで様々な態様で構成してもよい。
【００９９】
（第１３実施形態）  
図１４は、第１３実施形態におけるシール型健康器具１０ｍ，１０ｎの説明図を示している。  
詳しくは、図１４（ａ）はシール型健康器具１０ｍの裏面側からの斜視図を示し、図１４（ｂ）はシール型健康器具１０ｎの裏面側からの斜視図を示している。
【０１００】
図１４（ａ）に示すシール型健康器具１０ｍは、シート状のシール材２０ｍと、シール材２０ｍの裏面側の中央付近に設けた円盤状金属体３０ｍとで構成している。  
シール材２０ｍは、平面視楕円状であり、裏面側に粘着層２０１ｍを備えている。  
円盤状金属体３０ｍは、径より厚みの薄い円盤状であり、平面視楕円状のシール材２０ｍの裏面側の中心に固定されている。
【０１０１】
このように構成されたシール型健康器具１０ｍは、円盤状金属体３０ｍが配置された裏面側が身体側となるように、身体における、例えば、不調な箇所などの所定の箇所に、粘着層２０１ｍで貼り付けることで、円盤状金属体３０ｍを身体の所定箇所に円盤状金属体３０ｍを配置することができる。
【０１０２】
上述のように、シール型健康器具１０ｍを身体の所定箇所に貼り付けることで、円盤状金属体３０ｍにより電流が効果的に発生し、乱れた生体電流をすみやかに整えることができる。また、シール型健康器具１０ｍを貼り付けている間中ずっと、円盤状金属体３０ｍは身体の所定箇所に配置されているため、乱れた生体電流を効率よく整えることができる。  
これにより、シール型健康器具１０ｍは心身ともにリラックスすることができるとともに、身体全体が持つ自然治癒力を強化し、新陳代謝を促進することができる。
【０１０３】
なお、上述のシール型健康器具１０ｍにおける円盤状金属体３０ｍは円盤状であったが、例えば図１４（ｂ）に示すように、平面視六角形状の六角盤状金属体３０ｎであってもよい。  
六角盤状金属体３０ｎを有するシール型健康器具１０ｎは、円盤状の円盤状金属体３０ｍを備えたシール型健康器具１０ｍと同様に効果を奏することができる。
【０１０４】
この考案の構成と、上述の実施形態との対応において、この考案の外装体はコア外装２０、筒状体２０ａ，２０ｂ、ペン外装２０ｃ、金属製収容袋２０ｄ、網状収容袋２０ｅ、外皮２０ｆ、表皮２０ｇ、クッション２０ｈ、マットレス２０ｉ、収容袋、取付台座２０ｋ及びシール材２０ｍに対応し、
以下同様に、
金属体は棒状金属体３０，３０ａ、板状金属体３０ｄ，３０ｅ、コア状金属体３０ｆ、中敷状金属体３０ｇ、球状金属体３０ｊ、円盤状金属体３０ｍ、及び六角盤状金属体３０ｎに対応し、
健康器具はコア状健康器具１０、スティック状健康器具１０ａ，１０ｂ、ペン型健康器具１０ｃ、板状健康器具１０ｄ、板状健康器具１０ｅ、ブラシ型健康器具１０ｆ、インソール型健康器具１０ｇ、マットレス型健康器具１０ｉ、粉状型健康器具１０ｊ、ネックレス型健康器具１０ｋ、シール型健康器具１０ｍ及びシール型健康器具１０ｎに対応し、
棒状の金属体は棒状金属体３０，３０ａに対応し、
金属製の筒状体はコア外装２０，筒状体２０ｂに対応し、
板状の第１金属部は第１板状金属材３１ｄ，３１ｅに対応し、
板状の第２金属部は第２板状金属材３２ｄ，３２ｅに対応し、
収容袋は金属製収容袋２０ｄ、網状収容袋２０ｅに対応し、
板状の金属体は板状金属体３０ｄ，３０ｅに対応し、
クッション材はクッション２０ｈ、マットレス２０ｉに対応し、
球状の金属体は球状金属体３０ｊに対応し、
第１鉱石は第１鉱石５０ｊに対応し、
第２鉱石は第２鉱石６０ｊに対応し、
取付部は取付台座２０ｋに対応し、
シール部はシール材２０ｍに対応するが、この考案は、上述の実施形態の構成のみに限定されるものではなく、多くの実施の形態を得ることができる。
【符号の説明】
【０１０５】
１０…コア状健康器具
１０ａ…スティック状健康器具
１０ｂ…ペン型健康器具
１０ｄ…板状健康器具
１０ｅ…板状健康器具
１０ｆ…ブラシ型健康器具
１０ｇ…インソール型健康器具
１０ｉ…マットレス型健康器具
１０ｊ…粉状型健康器具
１０ｋ…ネックレス型健康器具
２０…コア外装
２０ａ…筒状体
２０ｃ…ペン外装
２０ｄ…金属製収容袋
２０ｅ…網状収容袋
２０ｆ…外皮
２０ｇ…表皮
２０ｈ…クッション
２０ｉ…マットレス
２０ｋ…取付台座
２０ｍ…シール材
３０，３０ａ，３０ｄ…棒状金属体
３０ｄ，３０ｅ…板状金属体
３０ｆ…コア状金属体
３０ｇ…中敷状金属体
３０ｊ…球状金属体
３０ｍ…円盤状金属体
３０ｎ…六角盤状金属体
５０ｊ…第１鉱石
６０ｊ…第２鉱石
【図１】
0003232764.tif 000003
【図２】
0003232764.tif 000004
【図３】
0003232764.tif 000005
【図４】
0003232764.tif 000006
【図５】
0003232764.tif 000007
【図６】
0003232764.tif 000008
【図７】
0003232764.tif 000009
【図８】
0003232764.tif 000010
【図９】
0003232764.tif 000011
【図１０】
0003232764.tif 000012
【図１１】
0003232764.tif 000013
【図１２】
0003232764.tif 000014
【図１３】
0003232764.tif 000015
【図１４】
0003232764.tif 000016